(57)【要約】      （修正有）【課題】シールドフレームとシールドカバーとを確実に接触導通させることができ、もって安定したシールド効果を保つことの可能なシールドケースを提供する。【解決手段】シールドケース１は、シールドフレームの周壁上縁に形成されたフランジ部１０ｆに切欠部１０ｎを形成する一方、シールドカバー２０の天板２０ｔにフランジ部１０ｆの裏面と圧接する弾性舌片２０ｐを形成し、切欠部１０ｎに弾性舌片２０ｐを挿通してフランジ部１０ｆの表面に天板２０ｔを当接させたのち、シールドフレームに対してシールドカバー２０を一方向にスライドさせ、天板２０ｔと弾性舌片２０ｐとによりフランジ部１０ｆを挟持して、シールドカバー２０をシールドフレームに装着するよう構成している。【選択図】図２
2008218526.tif 000002
【特許請求の範囲】
【請求項１】
配線基板に実装された電子部品の周囲を巡る枠状のシールドフレームと、該シールドフレームの上部開口を覆うシールドカバーとを具備し、前記シールドフレームの上方に前記シールドカバーを装着して、前記電子部品を収容するシールドケースであって、
前記シールドフレームの周壁上縁に形成されたフランジ部に切欠部を形成する一方、前記シールドカバーの天板に前記フランジ部の裏面と圧接する弾性舌片を形成し、前記切欠部に前記弾性舌片を挿通して前記フランジ部の表面に前記天板を当接させたのち、前記シールドフレームに対して前記シールドカバーを一方向にスライドさせ、前記天板と前記弾性舌片とにより前記フランジ部を挟持して、前記シールドカバーを前記シールドフレームに装着するよう構成したことを特徴とするシールドケース。
【請求項２】
前記シールドフレームの前記フランジ部同士を連結する補強桟に係合部を形成する一方、前記シールドカバーにおける前記天板に、前記シールドカバーを前記シールドフレームに装着した状態において、前記係合部の裏面に圧接する弾性舌片を形成したことを特徴とする請求項１記載のシールドケース。
【請求項３】
配線基板に実装された電子部品の周囲を巡る枠状のシールドフレームと、該シールドフレームの上部開口を覆うシールドカバーとを具備し、前記シールドフレームの上方に前記シールドカバーを装着して前記電子部品を収容するシールドケースを、前記配線基板に実装して成る電子機器であって、
前記シールドケースを、前記シールドフレームの周壁上縁に形成されたフランジ部に切欠部を形成する一方、前記シールドカバーの天板に前記フランジ部の裏面と圧接する弾性舌片を形成し、前記切欠部に前記弾性舌片を挿通して前記フランジ部の表面に前記天板を当接させたのち、前記シールドフレームに対して前記シールドカバーを一方向にスライドさせ、前記天板と前記弾性舌片とにより前記フランジ部を挟持して、前記シールドカバーを前記シールドフレームに装着するよう構成したことを特徴とする電子機器。
【請求項４】
前記シールドケースが、前記シールドフレームの前記フランジ部同士を連結する補強桟に係合部を形成する一方、前記シールドカバーにおける前記天板に、前記シールドカバーを前記シールドフレームに装着した状態において、前記係合部の裏面に圧接する弾性舌片を形成したことを特徴とする請求項３記載の電子機器。
【発明の詳細な説明】
【技術分野】
【０００１】
本発明は、配線基板に実装された電子部品の周囲を巡る枠状のシールドフレームと、該シールドフレームの上部開口を覆うシールドカバーとを具備し、シールドフレームの上方にシールドカバーを装着して電子部品を収容することにより、上記電子部品からの電磁波を遮蔽するよう構成したシールドケース、および該シールドケースを実装して成る電子機器に関するものである。
【背景技術】
【０００２】
例えば、携帯電話機等の各種電子機器においては、作動中に電子部品／電子回路から発生する電磁波が、他の電子機器の作動に悪影響を及ぼす等の事象を防止するべく、ＥＭＩ(Electro Magnetic Interference)およびイミュニティーに対して様々なシールドケー
スが採用されている(例えば、特許文献１参照)。
【０００３】
図１４および図１５に示す従来のシールドケースＡは、配線基板Ｓに実装された電子部品Ｅの周囲を巡る枠状のシールドフレームＢと、このシールドフレームＢに上方から装着されるシールドカバーＣとを有し、これらシールドフレームＢとシールドカバーＣとにより電子部品Ｅを収容することで、上記電子部品Ｅに対する電磁波遮蔽を行なっている。
【０００４】
上記シールドケースＡのシールドフレームＢは、配線基板Ｓに電子部品Ｅ、Ｅ…の周囲を囲う態様で形成されたグランドパターン(図示せず)に、四方の周壁Ｂｓ、Ｂｓ…の下縁をハンダ付けされており、これら四方の周壁Ｂｓ、Ｂｓ…には、それぞれ係合凸起Ｂａ、Ｂａ…が外方に向けて突出形成されている。
【０００５】
一方、上記シールドカバーＣは、シールドフレームＢの上方を覆う天板Ｃｔと、該天板Ｃｔの縁部から下方に延設された四方の周壁Ｃｓ、Ｃｓ…とを有し、これら四方の周壁Ｃｓ、Ｃｓ…には、それぞれ係合孔Ｃｏ、Ｃｏ…が形成されて居る。
【０００６】
上記配線基板Ｓに実装されたシールドフレームＢに対し、シールドカバーＣを上方から覆い被せ、上記係合凸起Ｂａ、Ｂａ…と係合孔Ｃｏ、Ｃｏ…とを係合させることで、シールドカバーＣがシールドフレームＢに装着されるとともに、シールドフレームＢとシールドカバーＣとの導通が為され、シールドケースＡによる電子部品Ｅ、Ｅ…の電磁波遮蔽が行なわれる。
【特許文献１】特開２００６−３１０４０６号公報
【発明の開示】
【発明が解決しようとする課題】
【０００７】
ところで、図１４および図１５に示した如く、係合凸起Ｂａと係合孔Ｃｏとを係合させて、シールドフレームＢにシールドカバーＣを装着しているシールドケースＡでは、組付け作業性に鑑みて係合凸起Ｂａと係合孔Ｃｏとの接触圧を十分に取ることができず、もってシールドフレームＢとシールドカバーＣとの導通が不確実となり、安定したシールド効果を得ることのできない虞れがあった。
【０００８】
また、電子部品の脱落を防止するために配線基板Ｓに電子部品Ｅをアンダーフィラー(
接着剤)により接着すると、シールドフレームＢの周壁Ｂｓにもこのアンダーフィラーが
付着する場合がある。さらに、周壁Ｂｓの係合凸起Ｂａにアンダーフィラーが付着した場合、係合凸起Ｂａと係合孔Ｃｏとが係合下状態居において、シールドカバーＣの周壁ＣｓがシールドフレームＢの周壁Ｂｓから浮いてしまい、シールドフレームＢとシールドカバーＣとの接触導通が不確実となり、シールド性(電磁波遮蔽性)の大幅な低下を招いてしまう不都合があった。
【０００９】
上記実状に鑑みて本発明の目的は、シールドフレームとシールドカバーとを確実に接触導通させることができ、もって安定したシールド効果を保つことの可能なシールドケースおよび電子機器を提供することにある。
【課題を解決するための手段】
【００１０】
上記目的を達成するべく、請求項１の発明に関わるシールドケースは、配線基板に実装された電子部品の周囲を巡る枠状のシールドフレームと、該シールドフレームの上部開口を覆うシールドカバーとを具備し、シールドフレームの上方にシールドカバーを装着して、電子部品を収容するシールドケースであって、シールドフレームの周壁上縁に形成されたフランジ部に切欠部を形成する一方、シールドカバーの天板にフランジ部の裏面と圧接する弾性舌片を形成し、切欠部に弾性舌片を挿通してフランジ部の表面に天板を当接させたのち、シールドフレームに対してシールドカバーを一方向にスライドさせ、天板と弾性舌片とによりフランジ部を挟持して、シールドカバーをシールドフレームに装着するよう構成したことを特徴としている。
【００１１】
また、請求項２の発明に関わるシールドケースは、請求項２の発明に関わるシールドケースにおいて、シールドフレームのフランジ部同士を連結する補強桟に係合部を形成する一方、シールドカバーにおける天板に、シールドカバーをシールドフレームに装着した状態において係合部の裏面に圧接する弾性舌片を形成したことを特徴としている。
【００１２】
また、請求項３の発明に関わる電子機器は、配線基板に実装された電子部品の周囲を巡る枠状のシールドフレームと、該シールドフレームの上部開口を覆うシールドカバーとを具備し、シールドフレームの上方にシールドカバーを装着して電子部品を収容するシールドケースを、配線基板に実装して成る電子機器であって、前記シールドケースを、シールドフレームの周壁上縁に形成されたフランジ部に切欠部を形成する一方、シールドカバーの天板にフランジ部の裏面と圧接する弾性舌片を形成し、切欠部に弾性舌片を挿通してフランジ部の表面に天板を当接させたのち、シールドフレームに対してシールドカバーを一方向にスライドさせ、天板と弾性舌片とによりフランジ部を挟持して、シールドカバーをシールドフレームに装着するよう構成したことを特徴としている。
【００１３】
また、請求項４の発明に関わる電子機器は、請求項３の発明に関わる電子機器において、前記シールドケースが、シールドフレームのフランジ部同士を連結する補強桟に係合部を形成する一方、シールドカバーにおける天板に、シールドカバーをシールドフレームに装着した状態において係合部の裏面に圧接する弾性舌片を形成したことを特徴としている。
【発明の効果】
【００１４】
請求項１の発明に関わるシールドケースによれば、シールドカバーをシールドフレームに装着した状態において、シールドカバーにおける天板と該天板に形成された弾性舌片とで、シールドフレームにおけるフランジ部を表面と裏面とから挟持することにより、シールドフレームとシールドカバーとの間における接触圧および接触面積の増大が図られ、シールドフレームとシールドカバーとが確実に接触導通することとなり、もって安定したシールド効果を獲得することが可能となる。
【００１５】
また、請求項２の発明に関わるシールドケースによれば、シールドカバーをシールドフレームに装着した状態において、シールドフレームの補強桟に形成した係合部と、シールドカバーの天板に形成した弾性舌片とが係合することにより、シールドフレームとシールドカバーとの接触導通が更に確実なものとなり、更に安定したシールド効果を獲得することが可能となる。
【００１６】
また、請求項３の発明に関わる電子機器によれば、上述した如きシールドケースの構成に基づいて、シールドカバーをシールドフレームに装着した状態において、シールドカバーにおける天板と該天板に形成された弾性舌片とで、シールドフレームにおけるフランジ部を表面と裏面とから挟持することにより、シールドフレームとシールドカバーとの間における接触圧および接触面積の増大が図られ、シールドフレームとシールドカバーとが確実に接触導通することとなり、もって安定したシールド効果を獲得することが可能となる。
【００１７】
また、請求項４の発明に関わる電子機器によれば、上述した如きシールドケースの構成に基づいて、シールドカバーをシールドフレームに装着した状態において、シールドフレームの補強桟に形成した係合部と、シールドカバーの天板に形成した弾性舌片とが係合することにより、シールドフレームとシールドカバーとの接触導通が更に確実なものとなり、更に安定したシールド効果を獲得することが可能となる。
【発明を実施するための最良の形態】
【００１８】
以下、実施例を示す図面に基づいて、本発明を詳細に説明する。  
図１〜図８は、本発明に関わるシールドケースを、本発明に関わる電子機器の一態様である携帯電話機(図示せず)に適用した実施例を示しており、上記シールドケース１は、配線基板１００に実装された電子部品１１０の周囲を巡る枠状のシールドフレーム１０と、このシールドフレーム１０に上方から装着されるシールドカバー２０とを有し、これらシールドフレーム１０とシールドカバー２０とによって電子部品１１０を収容することで、上記電子部品１１０に対する電磁波遮蔽を行なっている。
【００１９】
上記シールドケース１のシールドフレーム１０は、配線基板１００に電子部品１１０、１１０…の周囲を囲う態様で形成されたグランドパターン(図示せず)に、四方の周壁１０ｓ、１０ｓ…の下縁をハンダ付けされて、上記配線基板１００に対する所定位置に実装されている。
【００２０】
また、上記シールドフレーム１０における、四方の周壁１０ｓ、１０ｓ…の上縁には、それぞれ中央に向けてフランジ部１０ｆ、１０ｆ…が延設されており、このうち、左右のフランジ部１０ｆ、１０ｆには、それぞれ所定個数(実施例では３個)の切欠部１０ｎ、１０ｎ…が配列形成されている。
【００２１】
一方、上記シールドカバー２０は、シールドフレーム１０の上方を覆う天板２０ｔと、該天板２０ｔの後縁部および左右の側縁部から下方に延設された三方の周壁２０ｓ、２０ｓ…とを有している。
【００２２】
また、上記シールドカバー２０における天板２０ｔの左右縁部には、上記シールドフレーム１０のフランジ部１０ｆに形成された３個の切欠部１０ｎ、１０ｎ…と対応する間隔で、３個の係合爪(弾性舌片)２０ｐ、２０ｐ…が配列形成されており、これら３個の係合爪２０ｐ、２０ｐ…は、シールドフレーム１０にシールドカバー２０を装着した状態において、上記シールドフレーム１０における左右のフランジ部１０ｆ、１０ｆの裏面と圧接している。
【００２３】
さらに、上記シールドカバー２０における天板２０ｔの前縁部には、シールドフレーム１０にシールドカバー２０を装着した状態において、上記シールドフレーム１０における前方のフランジ部１０ｆの裏面と圧接する、２個の係合爪(弾性舌片)２０ｐ、２０ｐが形成されている。
【００２４】
上述した構成のシールドケース１において、シールドフレーム１０にシールドカバー２０を装着する際には、先ず、図１０(ａ)および図１０(ｂ)に示す如く、シールドカバー２０における左右の係合爪２０ｐを、シールドフレーム１０における左右のフランジ部１０ｆの切欠部１０ｎに挿入(矢印ａ)し、フランジ部１０ｆの表面にシールドカバー２０の天板２０ｔを当接させる。
【００２５】
同じく、図１１(ａ)および図１１(ｂ)に示す如く、フランジ部１０ｆの表面にシールドカバー２０の天板２０ｔを当接させることにより、シールドカバー２０における前方の係合爪２０ｐを、シールドフレーム１０における前方のフランジ部１０ｆの縁部に臨ませる。
【００２６】
次いで、図９(ａ)および図９(ｂ)と、図１０(ｂ)および図１０(ｃ)とに、矢印Ｐで示す如く、シールドフレーム１０に対してシールドカバー２０を一方向にスライド(図１０中
の矢印ｂ)させ、シールドカバー２０における左右の係合爪２０ｐを、シールドフレーム
１０における左右のフランジ部１０ｆの裏面に圧接させる。
【００２７】
同じく、図９(ａ)および図９(ｂ)と、図１１(ｂ)および図１１(ｃ)とに、矢印Ｐで示す如く、シールドフレーム１０に対してシールドカバー２０を一方向にスライド(図１１中
の矢印ｂ)させることにより、シールドカバー２０における前方の係合爪２０ｐを、シー
ルドフレーム１０における前方のフランジ部１０ｆの裏面に圧接させる。
【００２８】
上述した手順によって、シールドフレーム１０にシールドカバー２０が装着された状態では、シールドカバー２０における天板２０ｔの側縁部と左右の係合爪２０ｐとによって、シールドフレーム１０における左右のフランジ部１０ｆが表面と裏面とから挟持されることとなる。
【００２９】
さらに、シールドカバー２０における天板２０ｔの前縁部と２個の係合爪２０ｐとによって、シールドフレーム１０における前方のフランジ部１０ｆが表面と裏面とから挟持されることとなる。
【００３０】
このように、上述した構成のシールドケース１、および該シールドケース１を配線基板１００に実装して成る電子機器(図示せず)によれば、シールドカバー２０をシールドフレーム１０に装着した状態において、シールドカバー２０における天板２０ｔと該天板２０ｔに形成された係合爪(弾性舌片)とで、シールドフレーム１０におけるフランジ部１０ｆを表面と裏面とから挟持することにより、シールドフレーム１０とシールドカバー２０との間における接触圧および接触面積の増大が図られ、シールドフレーム１０とシールドカバー２０とが確実に接触導通することとなり、もって安定したシールド効果を獲得することが可能となる。
【００３１】
また、上述した構成によれば、シールドフレーム１０にシールドカバー２０を装着した状態において、シールドカバー２０の左右および後方の周壁２０ｓ、２０ｓ…は、それぞれシールドフレーム１０の左右および後方の周壁１０ｓ、１０ｓ…と当接しており、これによってもシールドフレーム１０とシールドカバー２０との間における接触面積の増大が図られ、シールドフレーム１０とシールドカバー２０とが確実に接触導通することとなる。
【００３２】
さらに、上記シールドカバー２０の左右および後方の周壁２０ｓ、２０ｓ…は、シールドフレーム１０にシールドカバー２０を装着した状態において、フランジ部１０ｆと天板２０ｔとの隙間を左右側方および後方から覆うこととなり、もってシールドケース１に対する電磁波の漏洩／侵入が抑えられ、更に安定したシールド効果を獲得することが可能となる。
【００３３】
また、上述した構成によれば、シールドカバー２０の係合爪２０ｐをシールドフレーム１０の切欠部１０ｎに挿入したのち、上記係合爪２０ｐの前後方向(シールドカバー２０
のスライド方向)の幅だけ移動させれば、上記係合爪２０ｐをフランジ部１０ｆの裏面に
圧接させて、シールドフレーム１０にシールドカバー２０を装着させることが可能なので、配線基板１００におけるシールドフレーム１０の後方側には僅かな組付け用のスペースを設けるだけで良く、もって配線基板１００における実質的な実装面積の減少を可及的に抑えることが可能となる。
【００３４】
なお、上述した実施例においては、シールドカバー２０における天板２０ｔの左右縁部に、それぞれ３個の係合爪２０ｐを形成するとともに、上記天板２０ｔの前縁部に２個の係合爪２０ｐを形成しているが、シールドカバー２０の天板２０ｔに形成される係合爪２０ｐの個数およびレイアウトは、これら係合爪２０ｐに対応するシールドケース１０の切欠部１０ｎとともに、携帯電話機の設計仕様等に基づいて適宜に設定し得るものであることは言うまでもない。
【００３５】
図１２および図１３は、本発明に関わるシールドケースの他の実施例を示しており、このシールドケース１′を構成するシールドフレーム１０′は、三方のフランジ部１０ｆ′から延びるサポートバー１０ｂ′、１０ｂ′…に支持されて上部開口に臨む係合部１０ｌ′を有している。
【００３６】
因みに、上記係合部１０ｌ′およびサポートバー１０ｂ′、１０ｂ′…は、シールドフレーム１０′の形状を維持するための補強桟を構成するものであり、また上記係合部１０ｌ′は、シールドフレーム１０′を配線基板１００に実装する工程での吸着ポイントとして機能する部位でもある。
【００３７】
一方、上記シールドケース１′を構成するシールドカバー２０′は、その天板２０ｔ′の略中央部に、該シールドカバー２０′をシールドフレーム１０′に装着した状態において、上記係合部１０ｌ′の裏面に圧接する係合爪(弾性舌片)２０ｐ′が形成されている。
【００３８】
上述したシールドケース１′の構成は、シールドフレーム１０′の上部開口に臨んで係合部１０ｌ′を形成するとともに、シールドカバー２０′に上記係合部１０ｌ′と対応する舌片２０ｐ′を形成している以外、図１〜図１１に示したシールドケース１と基本的に変わるところはないので、シールドケース１′の構成要素において、シールドケース１の構成要素と同一の作用を成すものには、図１２および図１３において、図１〜図１１と同一の符号に′(ダッシュ)を附すことで詳細な説明は省略する。
【００３９】
上述した構成のシールドケース１′、および該シールドケース１′を配線基板１００に実装して成る電子機器(図示せず)によれば、シールドフレーム１０′にシールドカバー２０′を装着した状態において、シールドフレーム１０′における係合部１０ｌ′と、シールドカバー２０′における天板２０ｔ′の略中央に形成した係合爪２０ｐ′とが係合することで、上記天板２０ｔ′の中央域が浮き上がることなくシールドフレーム１０′(係合
部１０ｌ′)に装着されることと併せ、シールドフレーム１０′とシールドカバー２０′
との係合箇所、言い換えれば総体的な接触圧および接触面積が増大することとなり、もって更に安定したシールド効果を得ることが可能となる。
【００４０】
さらに、上述した実施例においては、本発明を電子機器の一態様である携帯電話機に適用した例を示したが、上記携帯電話機やＰＨＳ(パーソナル・ハンディホン・システム)、あるいはコードレス電話機の子機等の無線通信機器に限らず、電子部品からの電磁波遮蔽を必要とする様々な電子機器のシールドケース、および該シールドケースを実装して成る様々な電子機器においても、本発明が極めて有効に適用し得るものであることは勿論である。
【図面の簡単な説明】
【００４１】
【図１】本発明に関わるシールドケースの一実施例を示す外観斜視図。
【図２】図１に示したシールドケースの分解斜視図。
【図３】(ａ)および(ｂ)は、図１に示したシールドケースの全体平面図および全体側面図。
【図４】(ａ)、(ｂ)、(ｃ)および(ｄ)は、図３中のａ−ａ線断面図、ｂ−ｂ線断面図、ｃ−ｃ線断面図およびｄ−ｄ線断面図。
【図５】(ａ)および(ｂ)は、図１のシールドケースにおけるシールドフレームを示す全体平面図および全体側面図。
【図６】(ａ)、(ｂ)および(ｃ)は、図５中のａ−ａ線断面図、ｂ−ｂ線断面図およびｃ−ｃ線断面図。
【図７】(ａ)および(ｂ)は、図１のシールドケースにおけるシールドカバーを示す全体平面図および全体側面図。
【図８】(ａ)、(ｂ)、(ｃ)および(ｄ)は、図７中のａ−ａ線断面図、ｂ−ｂ線断面図、ｃ−ｃ線断面図およびｄ−ｄ線断面図。
【図９】(ａ)および(ｂ)は、図１のシールドケースにおけるシールドフレームとシールドカバーとの組付け手順を示す全体平面図。
【図１０】(ａ)、(ｂ)および(ｃ)は、図１のシールドケースにおけるシールドフレームとシールドカバーとの組付け手順を示す断面図。
【図１１】(ａ)、(ｂ)および(ｃ)は、図１のシールドケースにおけるシールドフレームとシールドカバーとの組付け手順を示す断面図。
【図１２】本発明に関わるシールドケースの他の実施例を示す外観斜視図。
【図１３】図１２に示したシールドケースの分解斜視図。
【図１４】従来のシールドケースを概念的に示す分解斜視図。
【図１５】(ａ)は従来のシールドケースの全体平面図、(ｂ)は従来のシールドケースの全体平面図、(ｃ)は(ｂ)中のｃ−ｃ線断面図。
【符号の説明】
【００４２】
１…シールドケース、
１０…シールドフレーム、
１０ｓ…周壁、
１０ｆ…フランジ部、
１０ｎ…切欠部、
２０…シールドカバー、
２０ｔ…天板、
２０ｓ…周壁、
２０ｐ…係合爪(弾性舌片)、
１′…シールドケース、
１０′…シールドフレーム、
１０ｓ′…周壁、
１０ｆ′…フランジ部、
１０ｎ′…切欠部、
１０ｌ′…係合部、
２０′…シールドカバー、
２０ｔ′…天板、
２０ｓ′…周壁、
２０ｐ′…係合爪(弾性舌片)、
１００…配線基板、
１１０…電子部品。
【図１】
2008218526.tif 000003
【図２】
2008218526.tif 000004
【図３】
2008218526.tif 000005
【図４】
2008218526.tif 000006
【図５】
2008218526.tif 000007
【図６】
2008218526.tif 000008
【図７】
2008218526.tif 000009
【図８】
2008218526.tif 000010
【図９】
2008218526.tif 000011
【図１０】
2008218526.tif 000012
【図１１】
2008218526.tif 000013
【図１２】
2008218526.tif 000014
【図１３】
2008218526.tif 000015
【図１４】
2008218526.tif 000016
【図１５】
2008218526.tif 000017